(57)【要約】【課題】接地のための作業を簡単にするとともに、確実で安定した接地を得ることができる防浸形点灯装置を提供することを目的とする。【解決手段】防浸形点灯装置１００は、点灯回路機器３０と、点灯回路機器３０を内部に収納する筒状のケースであって、ケース端部１２が開口された防浸ケース１と、防浸ケース１のケース端部１２の開口を塞ぐパッキン６と、パッキン６を防浸ケース１のケース端部１２に押し付けるように防浸ケース１に取り付けられるとともに、器具本体１０に取り付けられる取付金具７と、パッキン６と取付金具７とを貫通する導電板５であって、導電板５の両端部のうちの内側の端部である内側端部５１が点灯回路機器３０に接続されるとともに、外側の端部である外側端部５２が器具本体１０に接続される導電板５とを備えている。【選択図】図１
2011003416.tif 000002
【特許請求の範囲】
【請求項１】
器具本体に取り付けられる点灯装置であって、
点灯回路機器と、
前記点灯回路機器を内部に収納する筒状のケースであって、端部が開口されたケースと、
前記ケースの端部の開口を塞ぐパッキンと、
前記パッキンを前記ケースの端部に押し付けるように前記ケースに取り付けられるとともに、前記器具本体に取り付けられる取付金具と、
前記パッキンと前記取付金具とを貫通する導電板であって、前記導電板の両端部のうちの一方の端部が前記点灯回路機器に接続されるとともに、他方の端部が前記器具本体に接続される導電板と
を備えることを特徴とする点灯装置。
【請求項２】
前記点灯回路機器は、回路基板と、前記回路基板を内部に備える機器筐体とを有し、
前記導電板は、
前記一方の端部が、少なくとも前記回路基板と前記機器筐体とのいずれかと接続されることを特徴とする請求項１に記載の点灯装置。
【請求項３】
前記導電板は、前記一方の端部に第１のネジを挿通するための第１のネジ穴を有し、前記一方の端部が前記第１のネジにより前記回路基板と前記機器筐体とのいずれかと共締めされていることを特徴とする請求項２に記載の点灯装置。
【請求項４】
前記導電板は、前記他方の端部に第２のネジを挿通するための第２のネジ穴を有し、前記他方の端部が前記第２のネジにより前記器具本体にネジ止めされていることを特徴とする請求項１〜３のいずれかに記載の点灯装置。
【請求項５】
前記導電板は、前記他方の端部が前記第２のネジにより前記器具本体と前記取付金具とに共締めされていることを特徴とする請求項４に記載の点灯装置。
【請求項６】
器具本体と、前記器具本体に取り付けられる請求項１から請求項５のいずれかに記載の点灯装置とを備える照明器具。
【発明の詳細な説明】
【技術分野】
【０００１】
本発明は、点灯装置及び点灯装置が取り付けられた照明器具に関するものであり、特に、防浸形点灯装置及び防浸形点灯装置が取り付けられた照明器具に関する。
【背景技術】
【０００２】
従来の防浸形点灯装置の接地構造として、点灯装置外郭と、防浸ケースを取り付けるための取付金具とをリード線を介してネジ・ナットにより接続させる構造がある。また、このとき、ネジ頭を防浸ケース内に収めるために、防浸ケースに凹部を設けている構造となっている（特許文献１参照）。
【０００３】
また、従来の防浸形点灯装置の接地構造として、防浸ケースと取付金具（防浸ケースのエンドプレート）が電気的に接続できている構造において、点灯装置外郭と防浸ケースとの間に別部品の接触金具を設けて接地させる構造がある。また、点灯装置外郭に突起を設けて防浸ケースと接地させる構造、あるいは、点灯装置外郭と防浸ケースとを直接ネジ止めして接地させる構造が開示されている（特許文献２参照）。
【先行技術文献】
【特許文献】
【０００４】
【特許文献１】特開２００５−７１８１０号公報
【特許文献２】特開２００５−７１８０９号公報
【発明の概要】
【発明が解決しようとする課題】
【０００５】
点灯装置外郭と、防浸ケースを取り付けるための取付金具とをリード線を介してネジ・ナットにより接続させる構造では、点灯装置外郭と取付金具をリード線で接続させるためにネジ・ナットが最低各２ヶづつ必要となりコスト高となる。また、ネジ頭を収納するための凹部を防浸ケースに設けると材料の体積が増え、コスト高となる。
【０００６】
また、点灯装置と防浸ケースとの間を接触金具や突起等により接地させる構造では、接触金具を設けたり、突起を設けてしまうことにより、点灯装置を防浸ケースに収納する際に接触金具や突起が摩擦抵抗の要因となり収納しづらくなり作業性が悪くなる。また、作業段階で接触金具や突起が変形してしまった場合、安定した接地が確保できない恐れがある。また、接触金具をネジで固定する場合は、部品点数が増え、作業数が増えるとともにコスト高となる。
【０００７】
工場等で防塵性や防雨・防湿性を求められる環境に使用される照明器具では、点灯装置と器具本体とをネジ止めした後にシリコンなどで隙間を塞ぐ方法や、ゴム製のワッシャでネジの隙間を塞ぐ方法もあるが、これでは、器具本体と点灯装置とに接地が取れなくなる。
【０００８】
本発明は、上記のような課題を解決するためになされたものであり、部品点数を増やすことなく低コストで構成することができ、作業性がよく、確実でかつ安定した接地を得ることができる防浸形点灯装置を提供することを目的とする。
【課題を解決するための手段】
【０００９】
本発明に係る点灯装置は、器具本体に取り付けられる点灯装置であって、
点灯回路機器と、
前記点灯回路機器を内部に収納する筒状のケースであって、端部が開口されたケースと、
前記ケースの端部の開口を塞ぐパッキンと、
前記パッキンを前記ケースの端部に押し付けるように前記ケースに取り付けられるとともに、前記器具本体に取り付けられる取付金具と、
前記パッキンと前記取付金具とを貫通する導電体であって、前記導電体の両端部のうちの一方の端部が前記点灯回路機器に接続されるとともに、他方の端部が前記器具本体に接続される導電体とを備えることを特徴とする。
【発明の効果】
【００１０】
本発明に係る点灯装置によれば、点灯回路機器と、前記点灯回路機器を内部に収納する筒状のケースであって、端部が開口されたケースと、前記ケースの端部の開口を塞ぐパッキンと、前記パッキンを前記ケースの端部に押し付けるように前記ケースに取り付けられるとともに、前記器具本体に取り付けられる取付金具と、前記パッキンと前記取付金具とを貫通する導電体であって、前記導電体の両端部のうちの一方の端部が前記点灯回路機器に接続されるとともに、他方の端部が前記器具本体に接続される導電体とを備えているので、点灯装置の接地のための作業が簡単で、かつ、確実で安定した接地を得ることができる。
【図面の簡単な説明】
【００１１】
【図１】実施の形態１に係る防浸形点灯装置１００と器具本体１０との接地構造を示す端部展開斜視図である。
【図２】図１の防浸形点灯装置１００を組み立てた端部組立完成斜視図である。
【図３】図３（ａ）は実施の形態１に係る導電板５が貫通した状態のパッキン６の防浸ケース外側を示す斜視図であり、図３（ｂ）は図３（ａ）をＡ方向から見た側面図である。
【図４】図４（ａ）は実施の形態１に係る導電板５が貫通した状態のパッキン６の防浸ケース内側の一例を示す斜視図であり、図４（ｂ）は導電板５が貫通されたパッキン６の防浸ケース内側の他の例を示す斜視図である。
【図５】図５（ａ）は実施の形態２に係る導電板５が貫通したパッキン６を防浸ケース１外側から視た図であり、図５（ｂ）は導電板５が貫通したパッキン６を防浸ケース１外側から視た他の例を示す図である。
【図６】実施の形態３に係る導電板５の器具本体１０への取付方法を示す図である。
【図７】実施の形態３に係る防浸形点灯装置１００の組立完成時の平面図である。
【図８】図８（ａ）は実施の形態４に係るパッキン６及び導電板５の内側を示す斜視図、図８（ｂ）は図８（ａ）のＢ方向から見た平面図、図８（ｃ）は図８（ａ）のＣ方向から見た側面図である。
【図９】実施の形態４に係る防浸形点灯装置１００の端部付近の端部展開斜視図である。
【図１０】実施の形態４に係る導電板５の点灯回路機器３０への接続方法を示す図である。
【発明を実施するための形態】
【００１２】
実施の形態１．
図１は、実施の形態１に係る防浸形点灯装置１００と器具本体１０との接地構造を示す端部展開斜視図である。図２は、図１の防浸形点灯装置を組み立てた端部組立完成斜視図である。図３（ａ）は、実施の形態１に係る導電板５が貫通した状態のパッキン６の防浸ケース外側を示す斜視図であり、図３（ｂ）は、図３（ａ）をＡ方向から見た側面視図である。図４（ａ）は、実施の形態１に係る導電板５が貫通した状態のパッキン６の防浸ケース内側の一例を示す斜視図であり、図４（ｂ）は、導電板５が貫通されたパッキン６の防浸ケース内側の他の例を示す斜視図である。
【００１３】
図１から図４を用いて、本実施の形態１に係る防浸形点灯装置１００と器具本体１０との接地構造について説明する。
【００１４】
図１において、防浸形点灯装置１００（点灯装置の一例）は、例えば、工場等で防塵性や防雨・防湿性を求められる環境に使用される照明器具に用いられる点灯装置であり、防塵性や防雨・防湿性を備える点灯装置である。防浸形点灯装置１００は、照明器具（図示なし）の備える光源（図示なし）を点灯させる点灯装置であり、防浸構造を備えている。防浸形点灯装置１００は、器具本体１０に取り付けられる点灯装置である。器具本体１０は、例えば、照明器具等の本体である。防浸形点灯装置１００は、照明器具等の器具本体１０の所定の面（以下本体取付面ともいう）に取り付けられる。
【００１５】
防浸形点灯装置１００は、点灯回路機器３０と、防浸ケース１（ケースの一例）と、パッキン６と、取付金具７と、導電板５とを備えている。
【００１６】
点灯回路機器３０は、回路基板２と、回路基板２を内部に収納する点灯装置ケース３とを備える。回路基板２には、基板の端部近傍に端子台２１が配置されている。また、回路基板２には、端子台２１の他にもインバータ回路等の電気部品が配置されている（図示なし）。
【００１７】
点灯装置ケース３（機器筐体の一例）は、導電性を有する導電体により形成されており、内部に回路基板２を収納する。点灯装置ケース３と回路基板２とは、ネジａ８１にて接続されており、電気的にも接続されている。
【００１８】
点灯装置ケース３は、回路基板２を設置する断面略凹字状のケース本体３１と、ケース本体３１の上面の開口を覆うようにケース本体３１に取り付けられる蓋状のケース蓋部３２とを備える。ケース本体３１には、回路基板２を取り付けるための基板取付部３３が一体形成されている。基板取付部３３は、ケース本体３１の側面の一部を内側に折り曲げ、、回路基板２の下方に回路基板２と略平行に形成されたものである。基板取付部３３は、回路基板２をネジ止めするためのネジ穴（図示なし）を備える。
【００１９】
回路基板２は、基板取付部３３の備えるネジ穴に対応する位置に、基板ネジ穴２２を備える。回路基板２と点灯装置ケース３と、後述する導電板５とはネジａ８１により共締めされる。
【００２０】
点灯装置ケース３は、ケース本体３１にケース蓋部３２を取り付けた状態において、棒状をなす。点灯装置ケース３を収納する防浸ケース１も棒状であり、防浸形点灯装置１００も棒状である。図１では、防浸形点灯装置１００の一方の端部の端部展開図を示しているが、他方も端部も同様の構成である。
【００２１】
点灯装置ケース３は、端子台２１から点灯回路機器３０の外部にリード線（電線（図示なし））を挿通させる（配線する）ことができるように、点灯装置ケース３の端部の少なくとも一部が開放されている。
【００２２】
防浸ケース１（ケースの一例）は、点灯回路機器３０を内部に収納する筒状であり棒状である。防浸ケース１は、点灯回路機器３０を内部に挿入することができるように、ケース端部１２が開口されている。防浸ケース１のケース端部１２の開口から、防浸ケース１の内部に点灯回路機器３０を挿入して収納することができる。図１に示すように、防浸ケース１の内側の形状と点灯回路機器３０の点灯装置ケース３の外郭の形状とは、略同一の形状をしている。これにより、点灯回路機器３０が収納された際に、防浸ケース１の内部で点灯回路機器３０ががたつく等の不具合をなくすことができる。防浸ケース１は、導電性を有する導電体により形成されている。防浸ケース１では、ケース端部１２の周縁の所定の２箇所に、後述する取付金具７を取り付けるためのネジ穴１１が設けられている。
【００２３】
パッキン６は、防浸ケース１のケース端部１２の開口を塞ぎ、防浸形点灯装置１００に気密性を持たせるための部品である。パッキン６は、例えば、ゴム、シリコン等の弾性体である。パッキン６は、取付金具７によりケース端部１２の開口に押圧され、ケース端部１２の周縁に弾性により密着する。これにより、防浸ケース１の気密性がなされる。パッキン６を挟んで、取付金具７が防浸ケース１にネジ止めされることにより、取付金具７と防浸ケース１とは、機械的に接続されるとともに電気的に接続される。
【００２４】
パッキン６の形状は、防浸ケース１のケース端部１２の断面形状よりもやや大きい、防浸ケース１のケース端部１２の断面形状と略相似形である。あるいは、パッキン６の形状は、防浸ケース１のケース端部１２の断面形状と略相似形であり、大きさも略同一であってもよい。取付金具７は、パッキン６を防浸ケース１のケース端部１２に押し付けるようにして防浸ケース１に取り付けられる。したがって、パッキン６の形状が防浸ケース１のケース端部１２の断面形状と略同一であっても、押し付けられることにより弾性体であるパッキン６がつぶされて表面積が広がり、防浸ケース１のケース端部１２の開口を塞ぐことができる。
【００２５】
パッキン６は、後述する取付金具７の備える金具開口部７４から外部に表面が露出する箇所であるパッキン表面部６２を備える。パッキン表面部６２は、金具開口部７４に対応する部分であり、パッキン６の表面からやや突出している。パッキン表面部６２には、点灯回路機器３０の端子台２１に接続されたリード線を防浸形点灯装置１００の外部に挿通させるためのリード線穴６１を備える。リード線穴６１は、防浸形点灯装置１００の防塵性や防雨・防湿性を保つために、パッキンの両側に突出するように形成される。
【００２６】
導電板５は、パッキン６を貫通するようにパッキン６に取り付けられている。導電板５は、パッキン６に貫通して、一方の端部が防浸ケース１の内部（点灯装置ケース３の内部）側（内側）に位置し、他方の端部は防浸ケース１の外部側（外側）に位置する。導電板５は、両端部のうちの内側の端部（以下、内側端部５１という）は、パッキン６の内側（点灯回路機器３０側）に位置し、他方の端部（以下、外側端部５２という）はパッキン６の外側（防浸形点灯装置１００の外側）に位置する。導電板５は、両端部のうちの一方の端部（内側端部５１）が点灯回路機器３０に取り付けられ接続されるとともに、他方の端部（外側端部５２）が器具本体１０に取り付けられ接続される。導電板５の内側端部５１は、導電板５を点灯回路機器３０にネジ止めして電気的に接続するための内側ネジ穴５３を備える。導電板５の外側端部５２は、導電板５を器具本体１０にネジ止めして電気的に接続するための外側ネジ穴５４を備える。
【００２７】
導電板５の内側端部５１は、組立時には、回路基板２の上面あるいは下面に当接する。下面に当接する場合は、内側端部５１は、回路基板２と点灯装置ケース３の基板取付部３３との間に挿入される。そして、導電板５は、内側端部５１の内側ネジ穴５３と、回路基板２に設けられた基板ネジ穴２２と、基板取付部３３の備えるネジ穴とに挿通されたネジａ８１により、回路基板２と点灯装置ケース３とに共締めされる。
【００２８】
これにより、導電板５は、回路基板２及び点灯装置ケース３（点灯回路機器３０）に機械的に取り付けられるとともに、回路基板２及び点灯装置ケース３と電気的に接続される。導電板５は、回路基板２と点灯装置ケース３とともに共締めされるので、ネジ・ナットの部品点数が増えることはない。
【００２９】
導電板５の外側端部５２は、器具本体１０の本体取付面に当接する。そして、導電板５は、器具本体１０に設けられた器具本体ネジ穴１０１と、外側端部５２の外側ネジ穴５４とに挿通されたネジｂ８２とナットｂ９２とにより、器具本体１０にネジ止めされる。これにより、導電板５は、器具本体１０に取り付けられるとともに、器具本体１０と電気的に接続される。すなわち点灯回路機器３０と器具本体１０とは、導電板５を介して電気的に接続される。
【００３０】
取付金具７の形状は、防浸ケース１のケース端部１２の断面形状と略同一の形状である。また、取付金具７には、防浸ケース１にネジ止めするためのケース取付用ネジ穴７１が、防浸ケース１のネジ穴１１に対応する位置の２箇所に設けられている。また、取付金具７は、器具本体１０に取り付ける台状の部位である本体当接台部７５を備える。本体当接台部７５には、器具本体１０にネジ止めするためのネジｃ８３を挿通させる本体取付用ネジ穴７３が設けられる。
【００３１】
図２は、図１の端部展開斜視図に示された防浸形点灯装置１００の端部の組み立てを完成させた完成ＡＳＳＹ図である。図２に示すように、取付金具７は、パッキン６を挟んで防浸ケース１のケース端部１２の開口に取り付けられる。取付金具７と防浸ケース１とは、防浸ケース１のネジ穴１１と取付金具７のケース取付用ネジ穴７１とに挿通されたネジｄ８４によりネジ止めされているので、電気的に接続されている。
【００３２】
また、取付金具７は、器具本体１０の器具本体ネジ穴１０２（図１参照）と本体当接台部７５の本体取付用ネジ穴７３とに挿通されたネジｃ８３と、ナットｃ９３とにより、器具本体１０に取り付けられている。したがって、防浸ケース１と取付金具７とは、器具本体１０に機械的に取り付けられるとともに、電気的に接続され接地されている。
【００３３】
図２に示すように、取付金具７の備える金具開口部７４から露出するパッキン表面部６２の形状は、金具開口部７４の形状と略相似形であり、金具開口部７４の開口の形状よりもやや小さい。このように、取付金具７を防浸ケース１に取り付ける際に、突出した（パッキン６の表面から盛り上がって形成された）パッキン表面部６２を金具開口部７４に嵌めながら押し付けることにより、パッキン６の位置決めが確実となり、防浸形点灯装置１００の防塵性や防雨・防湿性がより向上する。
【００３４】
図１及び図２では、防浸形点灯装置１００の一方の端部を図示しているが、他方の端部も同様の構成であるものとする。すなわち、防浸ケース１は両端が塞がれていない筒状（中空状）である。
【００３５】
図３（ａ）は、パッキン６と導電板５とを、防浸形点灯装置１００の外側から視た斜視図であり、図３（ｂ）は、図３（ａ）のパッキン６と導電板５とを、Ａ方向から視た矢視図である。
【００３６】
図３（ｂ）に示すように、パッキン６は、導電板貫通部６３をパッキン表面部の下辺６２１近傍に備えている。導電板５は、導電板貫通部６３に貫通して（インサートされて）パッキン６に取り付けられる。以下、導電板５において、パッキン６の防浸形点灯装置１００外側に位置する部分を導電板外側部５５、パッキン６の防浸形点灯装置１００側（内側）に位置する部分を導電板内側部５６とする。
【００３７】
図２に示すように、導電板外側部５５は、金具開口部７４を通過して取付金具７の外側に露出する。導電板外側部５５は、上述したように、外側端部５２がネジｂ８２とナットｂ９２とにより器具本体１０に機械的に取り付けられるとともに電気的にも接続される。
【００３８】
図３（ａ），（ｂ）に示すように、導電板５の導電板外側部５５は、導電板貫通部６３から略水平に設けられた導電板水平部５７（図３（ｂ）参照）と、導電板水平部５７から連続して略垂直に下方に立設された導電板立設部５８と、導電板立設部５８から連続して略水平に外側に設けられた外側端部５２とを備える。上述したように、外側端部５２には、外側ネジ穴５４を備えている。導電板立設部５８は、パッキン６の外側表面と略平行となっており、導電板立設部５８とパッキン６との間には、取付金具７を挟み込むための隙間を備える。この隙間を取付金具狭持部５９とする。
【００３９】
パッキン６と、取付金具７と、導電板５とが組み合わされる際には、取付金具狭持部５９に、取付金具７の金具開口部７４の下方部分が挟まれて組み合わされる。
【００４０】
パッキン６は、導電板５を貫通（インサート）させた状態で、パッキン６を一体成形して製造する（準備する）。あるいは、パッキン６の導電板貫通部６３に、導電板５を貫通させ、一体的に形成して製造する（準備する）。
【００４１】
防浸ケース１、取付金具７，パッキン６、導電板５を組み立てるには、例えば、以下のような手順で行う。
（１）導電板５の内側端部５１を回路基板２及び点灯装置ケース３にネジ止めで共締めする。なお、回路基板２と器具本体１０を電気的に接続してアース接地すればよいので、内側端部５１を回路基板２と点灯装置ケース３に共締めすることなく、内側端部５１と点灯装置ケース３とをネジ止めし、回路基板２と点灯装置ケース３とをネジ止めするとしてもよい。あるいは、内側端部５１と回路基板２とをネジ止めし、回路基板２と点灯装置ケース３とをネジ止めするとしてもよい。
（２）導電板５がインサートされたパッキン６と、取付金具７とを組み合わせる。すなわち、金具開口部７４に導電板５の導電板外側部５５を通過させ、取付金具７の金具開口部７４の下方部分を取付金具狭持部５９で狭持して、取付金具７とパッキン６と導電板５とを組み合わせる。
（３）取付金具７と防浸ケース１のケース端部１２とにより、パッキン６をはさみ押圧してネジ止めする。
（４）取付金具７を器具本体１０にネジ止めするとともに、導電板５を器具本体１０にネジ止めする。
【００４２】
図４（ａ），（ｂ）は、導電板５が貫通された（インサートされた）パッキン６を、防浸形点灯装置１００側（内側）から視た斜視図である。パッキン６の内側表面にも、リード線穴６１が突出して形成されている。
【００４３】
図４（ａ）に示すように、導電板５の導電板内側部５６は、導電板貫通部６３から連続して略水平に設けられた導電板内側水平部５１０と、導電板内側水平部５１０から内側（点灯装置側）に連続して突出して形成された内側端部５１を備える。すなわち、内側端部５１は、回路基板２と点灯装置ケース３とが共締めされる位置まで連続して形成される。内側端部５１には、上述したように回路基板２の基板ネジ穴２２と対応する内側ネジ穴５３が設けられている。
【００４４】
図４（ｂ）は、内側ネジ穴５３の他の例を示す図である。図４（ｂ）に示すように、内側端部５１に設けられる内側ネジ穴５３ａは、例えばＵ字状にカットされていてもよい。ネジ穴をこのような形状とすることにより、作業性を向上させることができる。
【００４５】
本実施の形態では、以下のような防浸形点灯装置１００について説明した。
【００４６】
両端が塞がれていない筒状（中空状）の防浸ケース１と、防浸ケース１内に収納され、電子部品を実装している回路基板２とを有し、この回路基板２を覆う点灯装置ケース３を有する防浸形点灯装置１００において、点灯装置ケース３と回路基板２とはネジ（ネジａ８１）にて接続されている。
【００４７】
導電板５をインサートしたパッキン６にて、防浸ケース１の両端を塞ぎ、この導電板５を点灯装置ケース３と回路基板２との間に挿入したり、回路基板２の上部に当接させたりして、上記ネジ（ネジａ８１）にて共締めする。
【００４８】
器具本体１０に防浸ケース１を取付けることが可能な取付金具７により、パッキン６を防浸ケース１に圧接させる。パッキン６にインサートする導電板５は、防浸ケース１を塞ぐ方向に対し、パッキン６に貫通している。
【００４９】
導電板５の両先端は、ネジが取り付けられるように、ネジ穴やＵ字状の溝が加工されている。導電板５は、点灯回路機器３０（回路基板２あるいは点灯装置ケース３）に接続する内側端部５１とは逆の先端部（外側端部５２）を器具本体１０へネジ・ナットにより取り付けられる。これにより、電子部品を実装している回路基板２を有する防浸形点灯装置１００と、器具本体１０とを電気的に接続させることができる。なお、防浸ケース内をパッキン６により密閉することによって、気密性を高めることも可能となる。
【００５０】
実施の形態２．
本実施の形態では、導電板５の導電板貫通部６３から露出した外側の部分（導電板外側部５５ｂ）を取付金具７に電気的に接続させる（導通させる）構造について説明する。図５（ａ），（ｂ）は、実施の形態２に係るパッキン６及び導電板５を示す図である。実施の形態１と同様の構成部分については、同一の符号を付しその説明を省略する。
【００５１】
図５（ａ）に示すように、本実施の形態の導電板外側部５５ｂは、実施の形態１の導電板外側部５５と異なる形状をしている。本実施の形態の導電板５は、導電板貫通部６３から露出した導電板外側部５５ｂが、パッキン６の外側表面に沿って下方に略垂直に折れ曲がっている。これにより、パッキン６の外側表面には、パッキン表面部の下辺６２１より下方の部分が導電板外側部５５ｂにより覆われた取付金具当接部５２０が形成される。
【００５２】
取付金具７が防浸ケース１に取り付けられる際には、導電板５の取付金具当接部５２０が取付金具７の裏面（パッキン６に当接する面）により押圧される。これにより、導電板５と取付金具７が導通される。また、取付金具７は、突出したパッキン表面部６２を金具開口部７４に嵌めながらパッキン６を押圧するので、金具開口部７４の下辺より下の部位により、取付金具当接部５２０を確実に押圧することができる。導電板５の取付金具当接部５２０の全体が、取付金具７の裏面により押圧されるので、導電板５と取付金具７とは確実かつ安定した導通を得ることができる。
【００５３】
図５（ｂ）は、図５（ａ）の内側ネジ穴５３を、Ｕ字状の切り欠き状のネジ溝である内側ネジ穴５３ａとしたものである。
【００５４】
本実施の形態では、以下のような防浸形点灯装置１００について説明した。パッキン６にインサートする導電板５は、防浸ケース１を塞ぐ方向に対し、パッキン６に貫通しているが、防浸形点灯装置１００と逆側の先端部（外側端部５２、導電板外側部５５ｂ）をパッキン６の面（外側表面）に平行に折り曲げ、取付金具７にてパッキン６を防浸ケース１へ圧接することで、点灯回路機器３０と取付金具７（または器具本体１０）とを確実に電気的に接続させる。取付金具７は、器具本体１０へネジｃ８３・ナットｃ９３で取付可能なため電気的に接続される。以上より点灯回路機器３０と器具本体１０とを電気的に接続させることができる。
【００５５】
本実施の形態に係る防浸形点灯装置１００によれば、ネジ・ナットを用いることなく導電板５と取付金具７と導通させることができるので、部品数を減らすことができる。また、導電板５の取付金具当接部５２０の全体が、取付金具７の裏面により押圧されるので、導電板５と取付金具７とは確実かつ安定した導通を得ることができる。
【００５６】
実施の形態３．
本実施の形態では、導電板５の外側端部５２と器具本体１０とのネジ止めと、取付金具７と器具本体１０とのネジ止めとを兼ねることができる構造について説明する。実施の形態１と同様の構成部分については、同一の符号を付しその説明を省略する。
【００５７】
図６は、実施の形態３に係る導電板５の器具本体１０への取付方法を示す図である。図７は、実施の形態３に係る防浸形点灯装置１００の端部組立完成時を上方から視た平面図である。
【００５８】
図６において、実施の形態１の導電板５と異なる点は、導電板外側部５５ｄの形状である。本実施の形態の導電板外側部５５ｄは、導電板貫通部６３（図３（ｂ）参照）から略水平に設けられた導電板水平部５７（図３（ｂ）参照）と、導電板水平部５７から連続して略垂直に下方に立設された導電板立設部５８とを備える。また、導電板立設部５８の下端から連続して略水平に延設された外側端部５２ｄは、取付金具７と組み合わされた場合に、取付金具７の本体当接台部７５と重なるように延設される。
【００５９】
取付金具７は、両側に本体当接台部７５を備えているが、導電板５はいずれか一方の本体当接台部７５に重なるように構成されていればよい。さらに、導電板５は、本体当接台部７５と外側端部５２ｄとが重なるように取付金具７と組み合わされた場合に、取付金具７の本体取付用ネジ穴７３と対応する位置に外側ネジ穴５４ｄを備える。
【００６０】
図７は、実施の形態３に係る防浸形点灯装置１００の端部の端部組立完成図を、上方から視た図である。図７に示すように、本体当接台部７５に導電板５の外側端部５２ｄが重なって、ネジｃ８３とナットｃ９３とにより共締めされている。これにより、ネジ・ナットの部品点数を減らすことができるとともに、確実で安定した接地を得ることができる。また、導電板５の取付位置は、リード線１１０の配線位置を避けた位置となるので、リード線１１０の配線作業等の作業性も向上する。
【００６１】
本実施の形態では、以下のような防浸形点灯装置１００について説明した。導電板５の先端（外側端部５２ｄ）を取付金具７と器具本体１０とともに共締めすることができるように、導電板５の先端（外側端部５２ｄ）を屈折または湾曲して形成する。また、リード線１１０の配線作業にも良好な形状とする。
【００６２】
実施の形態４．
図８は、実施の形態４に係る導電板５の内側端部５１ｅを示す図である。図８（ａ）は、実施の形態４に係る導電板５の内側端部５１ｅを示す斜視図、図８（ｂ）は、実施の形態４に係る導電板５をＢ方向から見た平面図、図８（ｃ）は、実施の形態４に係る導電板５をＣ方向から見た側面図である。図９は、実施の形態４に係る防浸形点灯装置１００の端部付近の組立構造を示す端部展開斜視図である。図１０は、実施の形態４に係る導電板５の点灯回路機器３０への接続方法を示す図である。本実施の形態では、実施の形態１と同様の構成部分については同一の符号を付し、その説明を省略する。
【００６３】
図８（ａ），（ｂ）に示すように、本実施の形態の導電板５は、回路基板２及び点灯装置ケース３に接続される内側端部５１ｅの形状に特徴がある。導電板５の内側端部５１ｅは上下に二股に分かれて形成されている。上下に形成された二股のうちの、上部を端部上面部５０２、下部を端部下面部５０３とする。端部上面部５０２は、略中心部に切り欠き部５０４を備える。切り欠き部５０４は、ネジａ８１（図１参照）を挿通させることができる幅である。また、端部下面部５０３には内側ネジ穴５３ｅを備える。
【００６４】
図８（ｃ）に示すように、端部上面部５０２と端部下面部５０３との間には、幅Ｌの狭持部５０１が形成される。
【００６５】
図９に示すように、組立時には、狭持部５０１に回路基板２を挟み込む。すなわち、端部上面部５０２は回路基板２の上面に当接されるとともに、端部下面部５０３は回路基板２と点灯装置ケース３の基板取付部３３との間に挿入される。
【００６６】
図１０は、導電板５の内側端部５１ｅの狭持部５０１に回路基板２が狭持されている状態を示している。狭持部５０１に回路基板２が狭持されている状態で、ネジａ８１が、端部上面部５０２の切り欠き部５０４、回路基板２の基板ネジ穴２２、端部下面部５０３の内側ネジ穴５３ｅ、基板取付部３３の備えるネジ穴に挿通されネジ止めされる。これにより、導電板５と回路基板２と点灯装置ケース３とが共締めされる。
【００６７】
本実施の形態では、以下のような防浸形点灯装置１００について説明した。導電板５の回路基板２に接続される先端（内側端部５１ｅ）において、その先端が、上下に二股に分岐しており、その二股の間（狭持部５０１）に回路基板２を挿入させることで接続させることが可能であり、回路基板２に取付けるためのネジを不要とすることも可能である。
【００６８】
本実施の形態に係る防浸形点灯装置１００によれば、回路基板２と点灯装置ケース３と導電板５とを確実に導通させることができ、また安定した導通を得ることができる。
【００６９】
以上、実施の形態１〜４について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７０】
１  防浸ケース、２  回路基板、３  点灯装置ケース、５  導電板、６  パッキン、７  取付金具、１０  器具本体、１１  ネジ穴、１２  ケース端部、２１  端子台、２２  基板ネジ穴、３０  点灯回路機器、３１  ケース本体、３２  ケース蓋部、３３  基板取付部、５１，５１ｅ  内側端部、５２，５２ｄ  外側端部、５３，５３ａ，５３ｅ  内側ネジ穴、５４，５４ｄ  外側ネジ穴、５５，５５ｂ，５５ｄ  導電板外側部、５６  導電板内側部、５７  導電板水平部、５８  導電板立設部、５９  取付金具狭持部、６１  リード線穴、６２  パッキン表面部、６３  導電板貫通部、７１  ケース取付用ネジ穴、７３  本体取付用ネジ穴、７４  金具開口部、７５  本体当接台部、８１  ネジａ、８２  ネジｂ、８３  ネジｃ、８４  ネジｄ、９２  ナットｂ、９３  ナットｃ、１００  防浸形点灯装置、１０１，１０２  器具本体ネジ穴、１１０  リード線、５０１  狭持部、５０２  端部上面部、５０３  端部下面部、５０４  切り欠き部、５１０，５１０ｅ  導電板内側水平部、５２０  取付金具当接部、６２１  パッキン表面部の下辺。
【図１】
2011003416.tif 000003
【図２】
2011003416.tif 000004
【図３】
2011003416.tif 000005
【図４】
2011003416.tif 000006
【図５】
2011003416.tif 000007
【図６】
2011003416.tif 000008
【図７】
2011003416.tif 000009
【図８】
2011003416.tif 000010
【図９】
2011003416.tif 000011
【図１０】
2011003416.tif 000012